(57)【要約】【課題】遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる遺体安置用寝具の装飾シーツ及び遺体安置用寝具の装飾シーツ包装品の提供。【解決手段】装飾シーツ１０は、掛布団２１の縦寸法より小さい縦寸法と、掛布団２１の横寸法より小さい横寸法とを有する矩形シーツ状をなし、掛布団２１の上に載置して使用自在とされると共に、その略中央部に装飾部１１を設けている。【選択図】　図１
0003097942.tif 000002
【実用新案登録請求の範囲】
【請求項１】
掛布団の縦寸法より小さい縦寸法と、前記掛布団の横寸法より小さい横寸法とを有する矩形シーツ状をなし、前記掛布団の上に載置して使用自在とされると共に、その略中央部に装飾部を設けたことを特徴とする遺体安置用寝具の装飾シーツ。
【請求項２】
掛布団の縦寸法より小さい縦寸法と、前記掛布団の横寸法より小さい横寸法とを有する矩形シーツ状をなし、前記掛布団の上に載置して使用自在とされると共に、その全面に織加工により地模様からなる多数の地模様部を散在させ、かつ、その略中央部にプリント加工により所定絵柄の装飾部を設けたことを特徴とする遺体安置用寝具の装飾シーツ。
【請求項３】
可燃性の繊維素材を織加工して形成され、掛布団の縦寸法より小さい縦寸法と、前記掛布団の横寸法より小さい横寸法とを有する矩形シーツ状をなし、前記掛布団の上に載置して使用自在とされると共に、その全面に前記織加工の際に地模様からなる多数の地模様部を散在させ、かつ、その略中央部にプリント加工により所定絵柄の装飾部を設けたことを特徴とする遺体安置用寝具の装飾シーツ。
【請求項４】
前記可燃性の繊維素材として、ポリエステル繊維素材、絹繊維素材、ナイロン繊維素材、羊毛繊維素材の少なくともいずれか一つを使用し、前記織加工としてジャカード織を使用したことを特徴とする請求項３記載の遺体安置用寝具の装飾シーツ。
【請求項５】
前記可燃性の繊維素材として、ポリエステル繊維素材を使用し、前記織加工としてジャカード織を使用したことを特徴とする請求項３記載の遺体安置用寝具の装飾シーツ。
【請求項６】
易燃性の繊維素材を織加工して形成され、掛布団の縦寸法より小さい縦寸法と、前記掛布団の横寸法より小さい横寸法とを有する矩形シーツ状をなし、前記掛布団の上に載置して使用自在とされると共に、その全面に前記織加工の際に地模様からなる多数の地模様部を散在させ、かつ、その略中央部にプリント加工により所定絵柄の装飾部を設けたことを特徴とする遺体安置用寝具の装飾シーツ。
【請求項７】
前記易燃性の繊維素材として、アクリル繊維素材、キュプラ繊維素材、レーヨン繊維素材、綿繊維素材及び麻繊維素材の少なくともいずれか一つを使用し、前記織加工としてジャカード織を使用したことを特徴とする請求項６記載の遺体安置用寝具の装飾シーツ。
【請求項８】
前記縦寸法を約１５０ｃｍとし、前記横寸法を約１１０ｃｍとした長方形シーツ状としたことを特徴とする請求項１乃至７のいずれか１項記載の遺体安置用寝具の装飾シーツ。
【請求項９】
前記縦寸法を略三等分すると共に前記横寸法を略三等分して全体を９分割することにより、前記矩形を９つの小矩形部へと分割し、前記９つの小矩形部のうち、中央の小矩形部の略全面に前記装飾部を設けたことを特徴とする請求項１乃至８のいずれか１項記載の遺体安置用寝具の装飾シーツ。
【請求項１０】
請求項１乃至８のいずれか１項記載の遺体安置用寝具の装飾シーツと、
前記遺体安置用寝具の装飾シーツにおいて前記装飾部を設けた部分の縦寸法及び横寸法に対応する縦寸法及び横寸法の矩形状をなす略透明な包装袋とを備え、前記遺体安置用寝具の装飾シーツにおいて前記装飾部を設けた部分を正面側に残すと共に、前記装飾部を設けた部分の裏面側に前記装飾部以外の部分を折り畳んで、前記遺体安置用寝具の装飾シーツを折畳状態とし、前記折畳状態の遺体安置用寝具の装飾シーツを前記包装袋に収容して、前記包装袋の正面側の全面に前記遺体安置用寝具の装飾シーツの前記装飾部を配置した
ことを特徴とする遺体安置用寝具の装飾シーツ包装品。
【請求項１１】
請求項８記載の遺体安置用寝具の装飾シーツと、
前記遺体安置用寝具の装飾シーツにおいて前記装飾部を設けた前記中央の小矩形部の縦寸法及び横寸法に対応する縦寸法及び横寸法の矩形状をなす略透明な包装袋とを備え、
前記遺体安置用寝具の装飾シーツにおいて前記装飾部を設けた前記中央の小矩形部を正面側に残すと共に、前記中央の小矩形部の裏面側に前記中央の小矩形部の左右両側または上下両側の合計６つの小矩形部を、左右方向または上下方向に三つ折状態で折り畳んで重ね合わせた後、前記中央の小矩形部の上下両側または左右両側に残った重合状態の小矩形部を、上下方向または左右方向に三つ折状態で折り畳んで重ね合わせることにより、前記遺体安置用寝具の装飾シーツを前記中央の小矩形部に対応する矩形となる折畳状態とし、前記折畳状態の遺体安置用寝具の装飾シーツを前記包装袋に収容して、前記包装袋の正面側の全面に、前記遺体安置用寝具の装飾シーツの前記装飾部が配置されるようにした
ことを特徴とする遺体安置用寝具の装飾シーツ包装品。
【考案の詳細な説明】
【０００１】
【考案の属する技術分野】
本考案は、通夜前等において遺体を安置した寝具の掛布団の上に重ねた状態で載置して使用される遺体安置用寝具の装飾シーツ及び遺体安置用寝具の装飾シーツ包装品に関する。
【０００２】
【従来の技術】
日本における死亡から葬儀までの一般的流れを説明すると、まず、臨終から納棺前に、自宅の仏間や座敷等にて故人の遺体を寝具に安置する。このとき、安置した遺体の枕元に枕飾りを行ったり、枕飯や枕団子等を備えたりする。そして、故人の遺族や親戚が参集する中、安置した故人の側で僧侶が枕経を読経する。その後、故人の遺体を納棺して、通夜を行い、翌日に葬儀及び告別式を行うのが通例である。
【０００３】
なお、臨終から納棺前に、自宅等にて故人の遺体を寝具に安置する際に、遺体を安置した寝具（敷布団及び掛布団）は、特別な構成のものを使用するわけでなく、通常市販されているものを使用する。また、掛布団は、遺体が温まらないよう薄手のものを使用するのが通例である。
【０００４】
【考案が解決しようとする課題】
ここで、故人の冥福を祈る遺族や親戚を慰める意味でも、遺体を安置する際に、極楽浄土に旅立つ故人を弔うための特別の装飾を寝具（特に、遺体を安置したときに外観として現れる掛布団）に施すことができれば好都合である。しかし、遺体を安置する寝具、特に、掛布団にそのような特別の装飾（例えば、仏教のいわれのある絵柄）を施すことは、掛布団の製造工程を増加し、製造コストを増大するため好ましくない。また、一般に、葬儀を取り仕切るのは葬儀会社であり、上記のような特別の装飾を施した寝具は、通常は、最終的に葬儀会社を通じて遺族に提供することになると考えられる。したがって、葬儀会社としても、上記のような掛布団を在庫として持つことは、そのための特別な収容スペース（倉庫等）を用意する必要があるということであり、コスト的な面からも好ましくない。特に、葬儀会社としても、仏教の各宗派等により、掛布団に施す装飾の絵柄等を各種変更したものを多数用意したい場合があり、多数種類の装飾を施した掛布団を在庫として持つことは、上記のように、その収容スペースの確保の点等からも好ましくない。
【０００５】
なお、上記のような目的で使用される掛布団類について、本出願人らは、特許庁電子図書館を通じた従来技術について検索したが、対応する従来技術を発見することはできなかった。
【０００６】
そこで、本考案は、遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる遺体安置用寝具の装飾シーツ及び遺体安置用寝具の装飾シーツ包装品の提供を課題とする。
【０００７】
【課題を解決するための手段】
請求項１に係る遺体安置用寝具の装飾シーツは、掛布団の縦寸法より小さい縦寸法と、前記掛布団の横寸法より小さい横寸法とを有する矩形シーツ状をなし、前記掛布団の上に載置して使用自在とされると共に、その略中央部に装飾部を設けた。
【０００８】
請求項２に係る遺体安置用寝具の装飾シーツは、掛布団の縦寸法より小さい縦寸法と、前記掛布団の横寸法より小さい横寸法とを有する矩形シーツ状をなし、前記掛布団の上に載置して使用自在とされると共に、その全面に織加工により地模様からなる多数の地模様部を散在させ、かつ、その略中央部にプリント加工により所定絵柄の装飾部を設けた。
【０００９】
請求項３に係る遺体安置用寝具の装飾シーツは、可燃性の繊維素材を織加工して形成され、掛布団の縦寸法より小さい縦寸法と、前記掛布団の横寸法より小さい横寸法とを有する矩形シーツ状をなし、前記掛布団の上に載置して使用自在とされると共に、その全面に前記織加工の際に地模様からなる多数の地模様部を散在させ、かつ、その略中央部にプリント加工により所定絵柄の装飾部を設けた。
【００１０】
請求項４に係る遺体安置用寝具の装飾シーツは、請求項３の構成において、前記可燃性の繊維素材として、ポリエステル繊維素材、絹繊維素材、ナイロン繊維素材、羊毛繊維素材の少なくともいずれか一つを使用し、前記織加工としてジャカード織を使用した。
【００１１】
請求項５に係る遺体安置用寝具の装飾シーツは、請求項３の構成において、前記可燃性の繊維素材として、ポリエステル繊維素材を使用し、前記織加工としてジャカード織を使用した。
【００１２】
請求項６に係る遺体安置用寝具の装飾シーツは、易燃性の繊維素材を織加工して形成され、掛布団の縦寸法より小さい縦寸法と、前記掛布団の横寸法より小さい横寸法とを有する矩形シーツ状をなし、前記掛布団の上に載置して使用自在とされると共に、その全面に前記織加工の際に地模様からなる多数の地模様部を散在させ、かつ、その略中央部にプリント加工により所定絵柄の装飾部を設けた。
【００１３】
請求項７に係る遺体安置用寝具の装飾シーツは、請求項６の構成において、前記易燃性の繊維素材として、アクリル繊維素材、キュプラ繊維素材、レーヨン繊維素材、綿繊維素材及び麻繊維素材の少なくともいずれか一つを使用し、前記織加工としてジャカード織を使用した。
【００１４】
請求項８に係る遺体安置用寝具の装飾シーツは、請求項１乃至７のいずれかの構成において、前記縦寸法を約１５０ｃｍとし、前記横寸法を約１１０ｃｍとした長方形シーツ状とした。
【００１５】
請求項９に係る遺体安置用寝具の装飾シーツは、請求項１乃至８のいずれかの構成において、前記縦寸法を略三等分すると共に前記横寸法を略三等分して全体を９分割することにより、前記矩形を９つの小矩形部へと分割し、前記９つの小矩形部のうち、中央の小矩形部の略全面に前記装飾部を設けた。
【００１６】
請求項１０に係る遺体安置用寝具の装飾シーツ包装品は、請求項１乃至８のいずれか１項記載の遺体安置用寝具の装飾シーツと、前記遺体安置用寝具の装飾シーツにおいて前記装飾部を設けた部分の縦寸法及び横寸法に対応する縦寸法及び横寸法の矩形状をなす略透明な包装袋とを備え、前記遺体安置用寝具の装飾シーツにおいて前記装飾部を設けた部分を正面側に残すと共に、前記装飾部を設けた部分の裏面側に前記装飾部以外の部分を折り畳んで、前記遺体安置用寝具の装飾シーツを折畳状態とし、前記折畳状態の遺体安置用寝具の装飾シーツを前記包装袋に収容して、前記包装袋の正面側の全面に前記遺体安置用寝具の装飾シーツの前記装飾部を配置した。
【００１７】
請求項１１に係る遺体安置用寝具の装飾シーツ包装品は、請求項８記載の遺体安置用寝具の装飾シーツと、前記遺体安置用寝具の装飾シーツにおいて前記装飾部を設けた前記中央の小矩形部の縦寸法及び横寸法に対応する縦寸法及び横寸法の矩形状をなす略透明な包装袋とを備え、前記遺体安置用寝具の装飾シーツにおいて前記装飾部を設けた前記中央の小矩形部を正面側に残すと共に、前記中央の小矩形部の裏面側に前記中央の小矩形部の左右両側または上下両側の合計６つの小矩形部を、左右方向または上下方向に三つ折状態で折り畳んで重ね合わせた後、前記中央の小矩形部の上下両側または左右両側に残った重合状態の小矩形部を、上下方向または左右方向に三つ折状態で折り畳んで重ね合わせることにより、前記遺体安置用寝具の装飾シーツを前記中央の小矩形部に対応する矩形となる折畳状態とし、前記折畳状態の遺体安置用寝具の装飾シーツを前記包装袋に収容して、前記包装袋の正面側の全面に、前記遺体安置用寝具の装飾シーツの前記装飾部が配置されるようにした。
【００１８】
【考案の実施の形態】
以下、本考案の実施の形態を説明する。なお、各実施の形態を通じ、同一の部材、要素または部分には同一の符号を付して、その説明を省略する。
【００１９】
実施の形態１
図１は本考案の実施の形態１に係る遺体安置用寝具の装飾シーツの全体を示す正面図である。図２は本考案の実施の形態１に係る遺体安置用寝具の装飾シーツの装飾部を示す正面図である。
図１及び図２に示すように、本考案の実施の形態１に係る遺体安置用寝具の装飾シーツ１０は、掛布団の縦寸法より小さい縦寸法と、前記掛布団の横寸法より小さい横寸法とを有する矩形シーツ状をなし、前記掛布団の上に載置して使用自在とされる。また、装飾シーツ１０は、その略中央部に装飾部１１を設けている。詳細には、実施の形態１に係る遺体安置用寝具の装飾シーツ１０は、その全面に織加工により地模様からなる多数の地模様部１２を散在させたものである。そして、前記装飾部１１は、多数の地模様部１２を散在させたシーツの略中央部に、プリント加工により所定絵柄となるよう印刷して設けられている。具体的には、装飾シーツ１０は、前記縦寸法を略三等分すると共に前記横寸法を略三等分して全体を９分割することにより、前記矩形を９つの小矩形部へと分割し、前記９つの小矩形部のうち、中央の小矩形部の略全面に前記装飾部１１を設けている。
【００２０】
即ち、図１に示すように、装飾シーツ１０は、縦寸法をＹ１，Ｙ２，Ｙ３（Ｙ１＝Ｙ２＝Ｙ３）で三分割し、横寸法をＸ１，Ｘ２，Ｘ３（Ｘ１＝Ｘ２＝Ｘ３）で三分割して、全体の面積を９分割している。これにより、装飾シーツ１０を以下の９つの小矩形部へと分割する。（Ｘ２，Ｙ２に対応する小矩形部、Ｘ２，Ｙ１に対応する小矩形部、Ｘ２，Ｙ３に対応する小矩形部、Ｘ１，Ｙ２に対応する小矩形部、Ｘ１，Ｙ１に対応する小矩形部、Ｘ１，Ｙ３に対応する小矩形部、Ｘ３，Ｙ２に対応する小矩形部、Ｘ３，Ｙ１に対応する小矩形部、Ｘ３，Ｙ３に対応する小矩形部。）なお、実際の装飾シーツ１０には各小矩形部を区画する区画線は表れない。そして、前記９つの小矩形部のうち、中央の小矩形部（Ｘ１，Ｙ１に対応する小矩形部）の略全面に前記装飾部１１を設けている。なお、本考案に係る装飾シーツ１０は、上記のように、前記縦寸法を略三等分すると共に前記横寸法を略三等分して全体を９分割し、中央の小矩形部の略全面に前記装飾部１１を設ける以外にも、装飾シーツ１０の略中央に装飾部１１を設ける限りにおいて、任意の位置に任意の面積で装飾部１１を設けることができる。例えば、装飾シーツ１０において、装飾部１１の面積を上記の場合（中央の小矩形部）より大きな面積で設けたり、小さな面積で設けたりすることができる。或いは、装飾シーツ１０において、装飾部１１を完全な中央より若干上下左右にずらして設けることもできる。装飾シーツ１０の装飾部１１の大きさは、特に装飾シーツ１０使用時における装飾シーツ１０全体のデザイン的効果等を考慮して決定することが好ましい。
【００２１】
なお、本考案に係る装飾シーツは、地模様部１２を設けず、無地のシーツ素材に装飾部１１のみを設けてもよい。或いは、本考案に係る装飾シーツは、装飾部１１をプリント加工以外の方法、例えば、織加工、刺繍等の他の加工方法により設けることもできる。しかし、装飾部１１をプリント加工により設ける場合、製造コストの点で有利である。
【００２２】
前記装飾部１１の絵柄としては、極楽浄土に旅立つ故人を弔うための特別の意味を有する絵柄とすることが好ましく、かかる絵柄として、例えば、仏教美術から選択した任意の絵柄等を使用することができる。実施の形態１では、装飾部１１の絵柄として、阿弥陀如来来迎の絵図を使用している。この阿弥陀如来来迎の絵図は、阿弥陀如来が、極楽浄土へと仏を迷わず導くために、勢至観音菩薩（勢至菩薩）及び聖観音菩薩（観音菩薩）を脇侍として従え、仏を迎えに来ているという意味を有する絵図である。一方、前記地模様部１２としては、菊や蓮等、仏教美術で使用される絵柄等を使用することができる。実施の形態１では、地模様部１２の絵柄として、菊の花を使用している。なお、図１及び図２の装飾シーツ１０では、装飾部１１の構成を明瞭に示すため、装飾部１１部分において地模様部１２の描画を省略しているが、実際は、装飾部１１部分においても、他の部分と同様、地模様部１２は背景として散在している。また、図２は、説明の便宜上、装飾シーツ１０の装飾部１１のみを描画している。
【００２３】
遺体安置用寝具の装飾シーツ１０は、可燃性の繊維素材を織加工して形成される。前記可燃性の繊維素材としては、ポリエステル繊維素材、絹繊維素材、ナイロン繊維素材、羊毛繊維素材の少なくともいずれか一つを使用することができる。また、前記織加工としては、ジャカード織を使用することができる。しかし、実施の形態１に係る遺体安置用寝具の装飾シーツ１０は、前記可燃性の繊維素材として、ポリエステル繊維素材を使用し、前記織加工としてジャカード織を使用することが好ましい。
【００２４】
或いは、実施の形態１に係る遺体安置用寝具の装飾シーツ１０は、易燃性の繊維素材を織加工して形成することもできる。前記易燃性の繊維素材としては、アクリル繊維素材、キュプラ繊維素材、レーヨン繊維素材、綿繊維素材及び麻繊維素材の少なくともいずれか一つを使用することができる。この場合も、前記織加工として、ジャカード織を使用することができる。
【００２５】
実施の形態１に係る遺体安置用寝具の装飾シーツ１０は、掛布団２１が通常シングルサイズであることに鑑み、例えば、前記縦寸法を約１５０ｃｍ（若しくは１４０〜１５０ｃｍ程度、好ましくは、１４７ｃｍ程度）とし、前記横寸法を約１１０ｃｍとした長方形シーツ状とすることができる。しかし、本考案に係る装飾シーツは、掛布団の縦寸法より小さい縦寸法と、掛布団の横寸法より小さい横寸法とを有する矩形シーツ状をなし、掛布団の上に載置して使用自在である限りにおいて、任意の寸法とすることができる。また、実施の形態１に係る遺体安置用寝具の装飾シーツ１０は、一枚のみのシーツ状をなす単層構造とされるが、本考案に係る装飾シーツは、二層以上の復層構造とすることもできる。
【００２６】
使用方法並びに作用及び効果
次に、上記のように構成した遺体安置用寝具の装飾シーツ１０の使用方法並びに作用及び効果について説明する。図３は本考案の実施の形態１に係る遺体安置用寝具の装飾シーツの使用状態を示す説明図である。
実施の形態１の遺体安置用寝具の装飾シーツ１０は、図３に示すように、遺体を安置した寝具２０の掛布団２１の上に重ねた状態で載置して使用される。このとき、装飾シーツ１０は、掛布団２０の中央に配置される。また、装飾シーツ１０は、通常、掛布団２０の上に単に載置されるのみであるが、装飾シーツ１０の端部等を掛布団２０に固定して位置ずれを防止するための固定手段等を付加的に設けることも可能である。ここで、装飾シーツ１０の大きさを、上記のように、例えば、縦寸法を約１４７ｃｍ、横寸法を１１０ｃｍとすると、装飾シーツ１０を掛布団２１の中央に載置したときに、装飾シーツ１０が、掛布団２１の外周縁部の白生地を残して掛布団２１の略全体を覆うことになる。よって、装飾シーツ１０を掛布団２０と略一体化したデザイン（意匠）とすることができ、統一感のある装飾的効果と共に、独特な意匠的効果を発揮することができる。
【００２７】
また、実施の形態１に係る遺体安置用寝具の装飾シーツ１０は、上記のような装飾部１１を有するため、遺体を安置する際に、極楽浄土に旅立つ故人を弔うための特別の意味を有する装飾を寝具２０（特に、遺体を安置したときに外観として現れる掛布団２１）に施すことができ、故人の冥福を祈る遺族や親戚を慰めることができる。更に、遺体を安置する寝具２０、特に、掛布団２１にそのような特別の装飾を施す場合に比べ、掛布団２１の製造工程を増加したり、その製造コストを増大したりすることはない。更にまた、一般に、葬儀を取り仕切ることになる葬儀会社としても、実施の形態１に係る装飾シーツ１０は、包装したとしても嵩張らず、収容スペースも小さくてすむ。したがって、上記のような特別の装飾を施した寝具２０（掛布団２１）を使用する場合と比較して、葬儀会社が、掛布団２１を在庫として持つ必要もなく、そのための特別な収容スペース（倉庫等）を用意する必要もないため、コスト的な面からも有利である。
【００２８】
加えて、実施の形態１に係る装飾シーツ１０は、プリント加工等により装飾部１０の絵柄を容易に変更することができるため、葬儀会社としても、仏教の各宗派等により、掛布団に施す装飾の絵柄等を各種変更したものを多数用意することが簡単になる。そして、実施の形態１に係る装飾シーツ１０は、多数種類の装飾を施した掛布団を在庫として持つ場合に比べ、上記のように、その収容スペースの確保の点等からも好都合である。上記のように、実施の形態１に係る遺体安置用寝具の装飾シーツ１０は、遺体を安置する際に掛布団２１等の寝具２０と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる。
【００２９】
装飾シーツ包装品
図４は本考案の実施の形態１に係る遺体安置用寝具の装飾シーツを包装してなる装飾シーツ包装品を示す正面図である。
上記実施の形態１に係る遺体安置用寝具の装飾シーツ１０は、例えば、以下のようにして包装袋に包装し、遺体安置用寝具の装飾シーツ包装品（装飾シーツ１０を包装した商品）とすることができる。具体的には、まず、実施の形態１に係る遺体安置用寝具の装飾シーツ１０と、遺体安置用寝具の装飾シーツ１０において装飾部１１を設けた部分の縦寸法及び横寸法に対応する縦寸法及び横寸法の矩形状をなす略透明な包装袋３０とを用意する。装飾シーツ１０は、上記のように、縦寸法Ｙ１＋Ｙ２＋Ｙ３及び横寸法Ｘ１＋Ｘ２＋Ｘ３の縦長長方形シーツ状をなす。一方、包装袋３０は、前記装飾シーツ１０の装飾部１１部分の縦寸法Ｙ１と略同一（若干大きめ）の縦寸法と、装飾部１１部分の横寸法Ｘ１と略同一（若干大きめ）の横寸法とを有し、前記装飾シーツ１０を９分割した中央の小矩形部（装飾部１１対応部分）に対応する縦長長方形袋状をなす。包装袋３０は、上端に開口３１を有すると共に、その開口３１をフラップ状の封止片３２により遮蔽して封止自在となっている。即ち、包装袋３０は、封止片３２をその裏面側に折り返して折り畳むことにより、開口３１を封止するようになっている。
【００３０】
ここで、包装袋３０の素材としては、略透明材料から形成する限りにおいて任意の素材を使用することができる。また、包装袋３０は、前記封止片３２を設けることなく、遺体安置用寝具の装飾シーツ１０において装飾部１１を設けた小矩形部（Ｘ１，Ｙ１部分）の縦寸法Ｙ１より所定寸法（例えば、前記封止片３２の縦寸法に対応する寸法）だけ長い縦寸法と、装飾シーツ１０において装飾部１１を設けた小矩形部の横寸法Ｘ１と略同一の横寸法とを有する縦長長方形袋状とすることもできる。この場合、包装袋３０の上端の前記所定寸法部分を裏面側に折り返して折り畳むことにより、その所定寸法部分の重合部により開口３１を封止するようにする。
【００３１】
上記装飾シーツ１０を包装袋３０に収容して包装するには、遺体安置用寝具の装飾シーツ１０において装飾部１１を設けた部分（中央の小矩形部Ｘ１，Ｙ１部分）を正面側に残すと共に、装飾部１１を設けた中央の小矩形部（Ｘ１，Ｙ１部分）の裏面側に、装飾部１１以外の部分を折り畳む。具体的には、まず、展開状態の装飾シーツ１０の左側の３つの小矩形部（Ｘ２，Ｙ２部分、Ｘ２，Ｙ１部分及びＸ２，Ｙ３部分）と、右側の３つの小矩形部（Ｘ３，Ｙ２部分、Ｘ３，Ｙ１部分及びＸ３，Ｙ３部分）とを、順次、装飾シーツ１０の裏面側に（左右方向に）折り畳んで重ね合わせる。すると、この時点の折畳状態の装飾シーツ１０は、中央の３つの小矩形部（Ｘ１，Ｙ２部分、Ｘ１，Ｙ１部分及びＸ１，Ｙ３部分）のみが正面側に残る縦長状態となっている。次に、この折畳状態の装飾シーツ１０の上側の小矩形部（Ｘ１，Ｙ２部分）と、下側の小矩形部（Ｘ１，Ｙ３部分）とを、順次、装飾シーツ１０の裏面側に（上下方向に）折り畳んで重ね合わせる。すると、装飾シーツ１０は、装飾部１１対応部分である中央の小矩形部（Ｘ１，Ｙ１部分）のみ残した折畳状態となる。このようにして、遺体安置用寝具の装飾シーツ１０を中央の小矩形部（装飾部１１対応部分）のみ残した折畳状態とし、この折畳状態の遺体安置用寝具の装飾シーツ１０を包装袋３０の開口３１から内部に収容する。すると、包装袋３０の正面側の全面に遺体安置用寝具の装飾シーツ１０の装飾部１１が自動的に配置される。
【００３２】
上記のように、実施の形態１に係る遺体安置用寝具の装飾シーツ１０は、その全体を９分割して、その中央の小矩形部（Ｘ１，Ｙ１部分）の略全体に装飾部１１を設けたため、装飾シーツ１０を左右及び上下に均等に折り畳むだけで、装飾部１１部分のみを正面側に残した状態となるよう、簡単かつ迅速に折り畳むことができる。また、包装袋３０を、装飾シーツ１０の中央の小矩形部部分（Ｘ１，Ｙ１部分）に対応する寸法の矩形状としたため、上記折畳状態の装飾シーツ１０を収容するだけで、装飾部１１のみが包装袋３０の正面側に現れ、包装品としての意匠的効果を向上することができる。
【００３３】
実施の形態２
図５は本考案の実施の形態２に係る遺体安置用寝具の装飾シーツを概略的に示す斜視図である。
実施の形態２に係る遺体安置用寝具の装飾シーツ１１０は、実施の形態１に係る遺体安置用寝具の装飾シーツ１０とほぼ同様の構成であるが、装飾部１１の前記絵柄の下方に、商品名を表すロゴマーク（文字商標）１１３をプリント加工等により一体的に設けている。その他の構成は、実施の形態１に係る遺体安置用寝具の装飾シーツ１０と同様である。なお、図５は、装飾部１１の絵柄を概略的に示すが、実際の絵柄は、図１の絵柄等と同様の詳細な絵柄となる。また、実施の形態２に係る遺体安置用寝具の装飾シーツ１１０では、前記ロゴマーク１１３は、装飾部１１を配置した中央の小矩形部（Ｘ１，Ｙ１部分）に収まるよう配置されている。
【００３４】
図６は本考案の実施の形態２に係る遺体安置用寝具の装飾シーツを包装して装飾シーツ包装品を得る過程を示す斜視図である。図７は本考案の実施の形態２に係る遺体安置用寝具の装飾シーツを包装してなる装飾シーツ包装品を示す斜視図である。
上記のように構成した実施の形態２に係る遺体安置用寝具の装飾シーツ１１０は、実施の形態１に係る遺体安置用寝具の装飾シーツ１０と同様にして使用することができ、実施の形態１に係る遺体安置用寝具の装飾シーツ１０と同様の作用及び効果を発揮する。また、実施の形態２に係る遺体安置用寝具の装飾シーツ１１０は、実施の形態１に係る遺体安置用寝具の装飾シーツ１０の場合と同様にして、所定の折畳状態とし、包装袋３０に収容することができる。なお、図５中の白抜きの太矢印は、装飾シーツ１１０の折畳方向を示す。また、図５中の破線は、説明の便宜上、９つの小矩形部の区画線を示すが、実際の装飾シーツ１１０には無論表れない。そして、上記折畳状態の装飾シーツ１１０は、図６に示すように、包装袋３０の内部へと、開口３１を介して上方から挿入して収容される。これにより、図７に示すように、装飾シーツ１１０のうち、装飾部１１及びロゴマーク１１３のみが、包装袋３０の正面側に自動的に現れる。
【００３５】
なお、上記実施の形態１または２において、遺体安置用寝具の装飾シーツ１０，１１０は、上記以外の方法で折り畳むこともできる。即ち、装飾部１１を設けた中央の小矩形部（Ｘ１，Ｙ１部分）を正面側に残すと共に、中央の小矩形部の裏面側に中央の小矩形部の左右両側または上下両側の合計６つの小矩形部を、左右方向または上下方向に三つ折状態で折り畳んで重ね合わせた後、前記中央の小矩形部の上下両側または左右両側に残った重合状態の小矩形部を、上下方向または左右方向に三つ折状態で折り畳んで重ね合わせることにより、前記遺体安置用寝具の装飾シーツを前記中央の小矩形部に対応する矩形となる折畳状態とすることができる。この場合も、前記折畳状態の遺体安置用寝具の装飾シーツ１０，１１０は、包装袋３０に収容して、包装袋３０の正面側の全面に装飾部１１を配置することができる。
【００３６】
【考案の効果】
請求項１に係る遺体安置用寝具の装飾シーツは、上記のように構成したため、遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる。
【００３７】
請求項２に係る遺体安置用寝具の装飾シーツは、上記のように構成したため、遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる。また、請求項２に係る遺体安置用寝具の装飾シーツは、多数散在する地模様部により更に独特な意匠的効果を発揮することができる。更に、請求項２に係る遺体安置用寝具の装飾シーツは、装飾部をプリント加工により簡単に印刷して設けることができ、装飾部を中心とした意匠の変更に簡単に対応することができる。
【００３８】
請求項３に係る遺体安置用寝具の装飾シーツは、上記のように構成したため、遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる。また、請求項３に係る遺体安置用寝具の装飾シーツは、多数散在する地模様部により更に独特な意匠的効果を発揮することができる。更に、請求項３に係る遺体安置用寝具の装飾シーツは、装飾部をプリント加工により簡単に印刷して設けることができ、装飾部を中心とした意匠の変更に簡単に対応することができる。更にまた、請求項３に係る遺体安置用寝具の装飾シーツは、可燃性の繊維素材を織加工して形成されるため、遺体と共に納棺して火葬時に簡単に焼却処理することができ、また、遺体と共に納棺することにより、納棺の儀式においても仏教的意味合いを与えるといった、特有の効果を発揮することができる。
【００３９】
請求項４及び請求項５に係る遺体安置用寝具の装飾シーツは、請求項３の効果に加え、ジャカード織により精緻な地模様部を簡単に形成することができるという効果を発揮する。
【００４０】
請求項６に係る遺体安置用寝具の装飾シーツは、上記のように構成したため、遺体を安置する際に掛布団等の寝具と共に使用され、極楽浄土に旅立つ故人を弔うための特別の装飾効果を提供することができると共に、嵩張らず、大きな収容スペースを必要とすることなく、収容コストの面で顕著に有利な効果を発揮することができる。また、請求項６に係る遺体安置用寝具の装飾シーツは、多数散在する地模様部により更に独特な意匠的効果を発揮することができる。更に、請求項６に係る遺体安置用寝具の装飾シーツは、装飾部をプリント加工により簡単に印刷して設けることができ、装飾部を中心とした意匠の変更に簡単に対応することができる。更にまた、請求項６に係る遺体安置用寝具の装飾シーツは、易燃性の繊維素材を織加工して形成されるため、遺体と共に納棺して火葬時に極めて簡単に焼却処理することができ、また、遺体と共に納棺することにより、納棺の儀式においても仏教的意味合いを与えるといった、特有の効果を発揮することができる。
【００４１】
請求項７に係る遺体安置用寝具の装飾シーツは、請求項６の効果に加え、ジャカード織により精緻な地模様部を簡単に形成することができるという効果を発揮する。
【００４２】
請求項８に係る遺体安置用寝具の装飾シーツは、請求項１乃至７のいずれかの効果に加え、掛布団の上に載置したときに、掛布団の外周縁部の白生地を残して掛布団の略全体を覆うことになる。よって、請求項８に係る遺体安置用寝具の装飾シーツは、掛布団と略一体化したデザイン（意匠）とすることができ、統一感のある装飾的効果と共に、独特な意匠的効果を発揮することができる。
【００４３】
請求項９に係る遺体安置用寝具の装飾シーツは、請求項１乃至８のいずれかの効果に加え、その全体を９分割して、その中央の小矩形部の略全体に装飾部を設けたため、左右及び上下に均等に折り畳むだけで、装飾部部分のみを正面側に残した状態となるよう、簡単かつ迅速に折り畳むことができる。
【００４４】
請求項１０に係る遺体安置用寝具の装飾シーツ包装品は、上記のように構成したため、上記折畳状態として包装袋に収容するだけで、装飾部のみが包装袋の正面側に現れ、包装品としての意匠的効果を向上することができる。
【００４５】
請求項１１に係る遺体安置用寝具の装飾シーツ包装品は、上記のように構成したため、遺体安置用寝具の装飾シーツを左右及び上下に均等に折り畳むだけで、装飾部部分のみを正面側に残した状態となるよう、簡単かつ迅速に折り畳むことができ、また、上記折畳状態の装飾シーツを包装袋に収容するだけで、装飾部のみが包装袋の正面側に現れ、包装品としての意匠的効果を向上することができる。
【図面の簡単な説明】
【図１】図１は本考案の実施の形態１に係る遺体安置用寝具の装飾シーツの全体を示す正面図である。
【図２】図２は本考案の実施の形態１に係る遺体安置用寝具の装飾シーツの装飾部を示す正面図である。
【図３】図３は本考案の実施の形態１に係る遺体安置用寝具の装飾シーツの使用状態を示す説明図である。
【図４】図４は本考案の実施の形態１に係る遺体安置用寝具の装飾シーツを包装してなる装飾シーツ包装品を示す正面図である。
【図５】図５は本考案の実施の形態２に係る遺体安置用寝具の装飾シーツを概略的に示す斜視図である。
【図６】図６は本考案の実施の形態２に係る遺体安置用寝具の装飾シーツを包装して装飾シーツ包装品を得る過程を示す斜視図である。
【図７】図７は本考案の実施の形態２に係る遺体安置用寝具の装飾シーツを包装してなる装飾シーツ包装品を示す斜視図である。
【符号の説明】
１０，１１０：装飾シーツ、１１：装飾部、１２：地模様部
２０：寝具、２１：掛布団
【図１】
0003097942.tif 000003
【図２】
0003097942.tif 000004
【図３】
0003097942.tif 000005
【図４】
0003097942.tif 000006
【図５】
0003097942.tif 000007
【図６】
0003097942.tif 000008
【図７】
0003097942.tif 000009